(57)【特許請求の範囲】
【請求項１】
消しゴム突出側端部の天面部及び該天面部の周縁部に連接する側面部を樹脂により剥離可能に被覆固着してなることを特徴とする消しゴム付き筆記具。
【請求項２】
前記樹脂が熱可塑性樹脂、樹脂エマルジョンの何れかであることを特徴とする請求項１記載の消しゴム付き筆記具。
【請求項３】
一端を外部へ突出するようケースに収容された消しゴムの突出側端部の天面部及び該天面部の周縁部に連接する側面部を樹脂により剥離可能に被覆固着してなることを特徴とする字消し具。
【請求項４】
前記樹脂が熱可塑性樹脂、樹脂エマルジョンの何れかであることを特徴とする請求項３記載の字消し具。
【発明の詳細な説明】
【０００１】
【発明の属する技術分野】
本発明は消しゴム付き筆記具及び字消し具に関する。詳細には、消しゴムのバージン性を確保する消しゴム付き筆記具及び字消し具に関する。
【０００２】
【従来の技術】
従来よりキャップの閉塞側端部や、筆記具本体の後端部等に消しゴムが付属された筆記具が多く市販されている。前記消しゴム付き筆記具としては、消しゴムが露出したものと、消しゴムを覆うカバー部材を設けたものがあるが、前記消しゴムが露出されたものについては、店頭において消費者が試し書きした際に、筆記具に付属されている消しゴムを使用し、消しゴムのバージン性が損なわれることがあり、消しゴムを使用されたものは商品としての価値が下がってしまうという問題がある。そこで前記問題となる消しゴムのバージン性を確保するために、シュリンクフィルムによる包装手段が用いられているが、この方法においては、筆記具全体を包装してしまうために消費者が購入前に試し書きをすることができないと共に、筆記具全体を覆うため、製造コストも高くなる。また、前記カバー部材を設けたものにおいては、カバー部材を幼児が誤飲する可能性があるため、カバー部材に通気孔を設けたり、容易に外れないようにネジ切りをする等の抜け力を高める工夫をする必要があるので、手間がかかり製造コストも高くなる。
【０００３】
また、従来より市販されている字消し具においては、一定の字消し部以外は厚紙等のケースに覆われているにもかかわらず、消しゴムのバージン性を確保するためにフィルムによる包装手段が用いられている。しかし、前記包装手段では、字消し具全体をフィルムで覆う必要があるので、製造コストが高くなり、使用時において必要以上のゴミが出てしまう。
【０００４】
【発明が解決しようとする課題】
本発明は前記従来の問題点を解決するものであって、消しゴムが露出した消しゴム付き筆記具において、店頭で筆記具の試し書きをしても付属の消しゴムを使用できないようにし、手間をかけず、低コストで消しゴムのバージン性を確保することができる消しゴム付き筆記具を提供しようとするものであり、また、字消し具においても、低コストで消しゴムのバージン性を確保することができる字消し具を提供しようとするものである。
【０００５】
【課題を解決するための手段】
本発明は、消しゴム１突出側端部の天面部及び該天面部の周縁部１１に連接する側面部を樹脂により剥離可能に被覆固着してなる消しゴム付き筆記具６（請求項１）を要件とし、更に、前記樹脂が熱可塑性樹脂、樹脂エマルジョンの何れかである消しゴム付き筆記具６（請求項２）を要件とする。更に、一端を外部へ突出するようケース５に収容された消しゴム１の突出側端部の天面部及び該天面部の周縁部１１に連接する側面部を樹脂により剥離可能に被覆固着してなる字消し具７（請求項３）を要件とし、更に、前記樹脂が熱可塑性樹脂、樹脂エマルジョンの何れかである字消し具７（請求項４）を要件とする。
【０００６】
請求項１において、「筆記具」とは、ボールペン、シャープペンシル、サインペン、マーキングペン、鉛筆等であり、「突出側」とは、消しゴム１が筆記具６本体の端部又はそのキャップ３の端部より突出する消しゴム１の摩耗消費側であり、「突出側端部」とは、前記突出側の天面部及び該天面部の周縁部１１に連設される側面部のことである。「樹脂」とは、消費者が初回使用時に容易に剥離可能なものならば、一般に広く使用されているものを使用できる。前記樹脂を消しゴム１の突出側端部に被覆することにより、消費者が商品を購入する前に消しゴム１を使用することを防ぎ、低コストで容易に消しゴム１のバージン性を確保できる。
【０００７】
請求項２において、「熱可塑性樹脂」としては、具体的に、エチレン−酢酸ビニル系樹脂、ポリアミド系樹脂、ポリエステル系樹脂、ポリオレフィン系樹脂、ゴム系樹脂等が例示できる。更に、前記熱可塑性樹脂（主成分）、粘着付与剤、及びワックス等からなるホットメルト接着剤を好適に用いることもできる。前記熱可塑性樹脂又はホットメルト接着剤を溶解させ、その中に消しゴム１突出側端部近辺を浸して引き上げることにより、消しゴム１突出側端部を被覆することができる。「樹脂エマルジョン」としては、具体的に、熱可塑型アクリルエマルジョン、熱自己架橋型アクリルエマルジョン、変性アクリルエマルジョン等のアクリル系エマルジョン、ポリ酢酸ビニルエマルジョン、変性酢酸ビニルエマルジョン等の酢酸ビニル系エマルジョン、ポリエチレンエマルジョン、ポリプロピレンエマルジョン等のポリオレフィン系樹脂エマルジョン、ポリ塩化ビニリデン等の各種樹脂エマルジョン、酢酸ビニルとエチレンの共重合体エマルジョン、酢酸ビニルとアクリル酸エステルの共重合体エマルジョン等各種樹脂の共重合体エマルジョンを例示できる。前記樹脂エマルジョンの中に消しゴム１突出側端部近辺を浸して引き上げた後、室温又は加温放置することにより、消しゴム１突出側端部を被覆することができる。前記熱可塑性樹脂、樹脂エマルジョンの何れかからなる被覆樹脂２を、消費者が商品購入後に取り外すことにより初めて消しゴム１を使用できるので、店頭において消しゴム１のバージン性を確保できる。
【０００８】
請求項３において、消しゴム１の端部に前記樹脂を被覆することにより、消費者が商品を購入する前に消しゴム１を使用することができなくなり、低コストで消しゴム１のバージン性を確保できる。更に、フィルム包装のような字消し具７全体を覆う方法とは異なり、消しゴム１突出側端部のみを覆うため、容易に被覆することができ、製造コストを安価にすることができる。
【０００９】
請求項４において、前記熱可塑性樹脂、樹脂エマルジョンの何れかからなる被覆樹脂２を設けることにより、消費者が商品購入後に取り外すことにより初めて消しゴム１を使用できるので、店頭において消しゴム１のバージン性を確保できる。
【００１０】
【発明の実施の形態】
本発明の実施の形態を図面に従って説明する。
【００１１】
図１乃至図２に本発明の第一の実施の形態（筆記具６）を示す。図１は、筆記具本体のペン先側には着脱自在のキャップ３が設けられ、前記キャップ３の閉塞側端部に円柱状の消しゴム１が一端が外部へ突出するように取り付けられる。前記消しゴム１の突出側端部を、剥離可能な樹脂２（例えばエチレン−酢酸ビニル系樹脂を主成分とするホットメルト接着剤）により被覆固着することで、消費者が購入後に被覆樹脂２を剥がすまでは消しゴム１の使用ができないようになっている。前記被覆樹脂２は、消しゴム１の天面部及び該天面部の周縁部１１に連設する側面部に剥離可能に被着される。
【００１２】
図３に本発明の第二の実施の形態（筆記具６）を示す。筆記具本体のペン先反対側端部に消しゴム保持部４を設け、円柱状の消しゴム１の一端が、該消しゴム保持部４より外部へ突出するように取り付けられる。前記消しゴム１の突出側端部を、剥離可能な樹脂２（例えばポリアミド系樹脂）により被覆固着することで、消費者が購入後に被覆樹脂２を剥がすまでは消しゴム１の使用ができないようになっている。前記被覆樹脂２は第一の実施の形態同様、消しゴム１の天面部及び該天面部の周縁部に連設する側面部に剥離可能に被着される。
【００１３】
図４に本発明の第三の実施の形態（字消し具７）を示す。直方体状のケース５内には、直方体状の消しゴム１が一端を外部へ突出するように収容されている。前記消しゴム１の突出側端部を、剥離可能な樹脂２（例えばポリ酢酸ビニルエマルジョン）により被覆固着することで、消費者が購入後に被覆樹脂２を剥がすまでは消しゴム１の使用ができないようになっている。前記被覆樹脂２は第一の実施の形態同様、消しゴム１の天面部及び該天面部の周縁部に連設する側面部に剥離可能に被着される。
【００１４】
【発明の効果】
本発明は、請求項１に記載の消しゴム付き筆記具により、消費者が店頭で試し書きをした際、筆跡を消すのに付属の消しゴムを使用することを防止し、消しゴムのバージン性を確保できる。
【００１５】
請求項２に記載の消しゴム付き筆記具により、消しゴムの突出側端部を容易に被覆することができるため、製造コストを安価にすることがでる。
【００１６】
請求項３に記載の字消し具により、消費者が店頭で消しゴムを使用することを防止できるため、消しゴムのバージン性を確保でき、ゴミとなる包装材を減らすことができる。
【００１７】
請求項４に記載の字消し具により、消しゴムの突出側端部を容易に被覆することができるため、製造コストを安価にでき、ゴミとなる包装材を減らすことができる。
【図面の簡単な説明】
【図１】本発明の第一の実施の形態を示す斜視図である。
【図２】図１の要部拡大断面図である。
【図３】本発明の第二の実施の形態を示す斜視図である。
【図４】本発明の第三の実施の形態を示す斜視図である。
【符号の説明】
１  消しゴム
１１  周縁部
２  被覆樹脂
３  キャップ
４  消しゴム保持部
５  消しゴムケース
６  筆記具
７  字消し具
【図１】
0003940021.tif 000002
【図２】
0003940021.tif 000003
【図３】
0003940021.tif 000004
【図４】
0003940021.tif 000005